(57)【要約】ディスク装置１００は、開口２０１Ａを有するケース体２００と、このケース体２００に対して進退自在に設けられるとともに、一面側に光ディスクを保持可能な円弧状凹部３１０が設けられるトレイ３００とを備えた。そして、このトレイ３００は、円弧状凹部３１０の背面側に光ディスクの挿入先端部を円弧状凹部３１０の上面よりもトレイ３００の下面側に案内する切欠部３２０を備えた。
2008084542.tif 000002
【特許請求の範囲】
【請求項１】
少なくとも一面に開口を有し、この開口に連通する内部空間を有するケース体と、
前記ケース体の前記開口に進退可能に設けられるとともに、一面側にディスク状の記録媒体を保持可能な保持面を有する保持凹部が設けられるトレイと、を備えたディスク装置であって、
前記トレイは、前記保持凹部の当該トレイの進退方向におけるケース体側に、前記記録媒体の周縁部を前記保持面より前記保持凹部が設けられない他面側に挿入された状態で案内するガイド部が設けられた
ことを特徴としたディスク搬送装置。
【請求項２】
請求項１に記載のディスク搬送装置であって、
前記トレイは、略板状に形成され、
前記ガイド部は、前記トレイの一面側および他面側を連通する状態に切り欠き形成された切欠部である
ことを特徴としたディスク搬送装置。
【請求項３】
請求項２に記載のディスク搬送装置であって、
前記切欠部の切欠周縁に前記記録媒体の周縁部を位置決めする位置決め部が設けられた
ことを特徴としたディスク搬送装置。
【請求項４】
請求項３に記載のディスク搬送装置であって、
前記位置決め部は、前記切欠周縁に略沿う位置で、前記保持面の面内方向に向かって突出して設けられる
ことを特徴としたディスク搬送装置。
【請求項５】
請求項３に記載のディスク搬送装置であって、
前記位置決め部は、前記切欠周縁に略沿う位置に移動自在に設けられるとともに、前記トレイが前記ケース体から排出された状態において前記記録媒体の周縁部に当接し、前記トレイが前記ケース体内に収納された状態において前記記録媒体の周縁部から離隔する
ことを特徴としたディスク搬送装置。
【請求項６】
請求項５に記載のディスク搬送装置であって、
前記切欠周縁に略沿う位置に設けられるとともに、中心部が回動自在に軸支される長手状の位置決めレバーを備え、
前記位置決め部は、前記位置決めレバーの長手先端部に設けられた
ことを特徴としたディスク搬送装置。
【請求項７】
請求項６に記載のディスク搬送装置であって、
前記ケース体は、前記開口を有する一面に対向する背面を備え、
前記位置決めレバーは、長手他端部に前記ケース体の背面に対向し、前記トレイが前記ケース体内に収納された状態で前記背面に当接して、当該位置決めレバーを回動させる回動作用部を備えた
ことを特徴としたディスク搬送装置。
【請求項８】
請求項３ないし請求項７のいずれかに記載のディスク搬送装置であって、
前記トレイは、前記一面側に、前記記録媒体の中心位置を保持する保持手段を備え、
前記位置決め部は、前記保持手段の中心からの距離寸法が、前記記録媒体の径寸法と略同一となる位置に設けられた
ことを特徴としたディスク搬送装置。
【請求項９】
請求項３ないし請求項８のいずれかに記載のディスク搬送装置であって、
前記切欠部は、前記保持手段から前記トレイの進退方向に沿って延出する仮想線と略平行するとともに、前記仮想線からの距離が略等しい互いに対向する一対の直線部を備え、
前記位置決め部は、前記直線部に略沿う位置に設けられた
ことを特徴としたディスク搬送装置。
【請求項１０】
請求項９に記載のディスク搬送装置であって、
前記ケース体は、前記トレイが収納された状態で、前記トレイに対向する底面を有し、
前記一対の直線部は、これら直線部間の距離寸法が、前記記録媒体を前記保持面および前記トレイの進退方向に略直交する状態で前記切欠部に挿入した際に、前記トレイの他面側から突出する前記記録媒体の挿入先端縁の突出寸法が前記トレイおよび前記底面の隙間寸法よりも小さくなる寸法に設けられた
ことを特徴としたディスク搬送装置。
【請求項１１】
請求項２ないし請求項１０のいずれかに記載のディスク搬送装置であって、
前記切欠部は、前記保持面に略平行し、かつ前記トレイの進退方向に略直交する回動軸を中心として回動自在に設けられ、前記トレイの進退方向におけるケース体側が前記保持面に対して接離する回動板を備えた
ことを特徴としたディスク搬送装置。
【請求項１２】
請求項１１に記載のディスク搬送装置であって、
前記回動板は、前記トレイが前記ケース体から排出された状態で前記保持面から離隔する方向に回動し、前記トレイが前記ケース体内に収納された状態で前記保持面と略同一平面となる位置に回動する
ことを特徴としたディスク搬送装置。
【請求項１３】
請求項１１または請求項１２に記載のディスク搬送装置であって、
前記トレイは、前記一面側に、前記記録媒体の中心位置を保持する保持手段を備えるとともに、径寸法が大きい大径記録媒体および径寸法の小さい小径記録媒体を搬送可能に設けられ、
前記回動板は、前記保持手段の中心からの距離が、前記小径記録媒体の径寸法と略同一寸法となる位置に、前記小径記録媒体の周縁部に当接して位置決めする略円弧状の小径記録媒体位置決め部を備えた
ことを特徴としたディスク搬送装置。
【請求項１４】
請求項１１ないし請求項１３のいずれかにに記載のディスク搬送装置であって、
前記回動板は、前記保持手段の中心からの距離寸法が径寸法の大きい大径記録媒体の径寸法と略同一となる位置に、前記大径記録媒体の周縁部に当接して位置決めする大径記録媒体当接部を備えた
ことを特徴としたディスク搬送装置。
【請求項１５】
請求項１３に記載のディスク搬送装置であって、
前記小径記録媒体位置決め部は、前記回動軸より前記トレイの進退方向における進出方向側に設けられた
ことを特徴としたディスク搬送装置。
【請求項１６】
請求項１１ないし請求項１５のいずれかに記載のディスク搬送装置であって、
前記トレイは、前記回動板を前記保持面から離隔する方向に付勢する付勢手段を備え、
前記ケース体は、前記トレイが前記内部空間に収納された状態で前記回動板を前記保持部に近接する方向に移動させるカム部材を備えた
ことを特徴としたディスク搬送装置。
【請求項１７】
請求項１ないし請求項１６に記載のディスク搬送装置と、
前記記録媒体を保持する前記保持手段と、
前記保持手段にて保持された前記記録媒体の情報を読み込む読込処理および前記記録媒体に情報を書き込む書込み処理のうち少なくともいずれか一方の処理を実施する情報処理部と、
を具備したことを特徴としたディスク装置。
【発明の詳細な説明】
【技術分野】
【０００１】
本発明は、ディスク状の記録媒体を搬送するディスク搬送装置、およびディスク装置に関する。
【背景技術】
【０００２】
従来、ディスクをトレイに載置して装置内部に搬送するディスク装置が知られている（例えば、特許文献１参照）。【０００３】
この特許文献１に記載のものは、ディスク駆動メカニズムが搭載されたドロワの左右にガイドレールが配設され、このガイドレールによりドロワが底板にスライド自在に支持されている光ディスク装置である。この光ディスク装置では、ドロワの排出時、底板からドロワ全体が排出された状態でロックされる構成が採られている（特許文献１中の図１および図３参照）。【０００４】
【特許文献１】特開平２００６−１９０３５２号公報
【発明の開示】
【発明が解決しようとする課題】
【０００５】
ところで、上記特許文献１のような従来のディスク装置では、ドロワの左右に配設される２本のガイドレールによりトレイ全体を支えているため、例えばドロワを完全に引き出した状態（特許文献１中図１および図３参照）で、ドロワに加わる衝撃やドロワの自重により、ドロワが垂れ下がるおそれがあり、強度的に不安定であるという問題が一例として挙げられる。【０００６】
このような問題に対して、シャーシとトレイの一部とが重なり合う構成とすることが考えられる。しかしながら、スリムドライブディスク装置では、奥行き寸法の規格が決まっているため、トレイ上のディスク装着部分とシャーシとが重なり合い、ディスクをトレイに装着する際にディスクの挿入角を小さくする必要があり、ターンテーブルにディスクの中心を合わせる作業が困難であるという問題が一例として挙げられる。【０００７】
本発明は、上記のような問題に鑑みて、良好にディスク状の記録媒体を搬送可能なディスク搬送装置、およびディスク装置を提供することを１つの目的とする。
【課題を解決するための手段】
【０００８】
本発明のディスク搬送装置は、少なくとも一面に開口を有し、この開口に連通する内部空間を有するケース体と、前記ケース体に進退可能に設けられるとともに、一面側にディスク状の記録媒体を保持可能な保持面を有する保持凹部が設けられるトレイと、を備えたディスク装置であって、前記トレイは、前記保持凹部の当該トレイの進退方向におけるケース体側に、前記記録媒体の周縁部を前記保持面より前記保持凹部が設けられない他面側に挿入された状態で案内するガイド部が設けられたことを特徴とする。【０００９】
本発明のディスク装置は、上記したようなディスク搬送装置と、前記記録媒体を保持する前記保持手段と、前記保持手段にて保持された前記記録媒体の情報を読み込む読込処理および前記記録媒体に情報を書き込む書込み処理のうち少なくともいずれか一方の処理を実施する情報処理部と、を具備したことを特徴とする。
【図面の簡単な説明】
【００１０】
【図１】本発明に係る第一実施形態のディスク装置において、ケース体からトレイを引き出した際のトレイおよびケース体の構成を示す平面図である。
【図２】トレイの背面側近傍の平面図である。
【図３】トレイの背面側近傍における断面図である。
【図４】第一実施形態のディスク装置において、トレイに対して光ディスクを挿入した状態での側断面図である。
【図５】第一実施形態のディスク装置において、トレイに対して光ディスクをさらに挿入した状態での側断面図である。
【図６】第一実施形態のディスク装置において、トレイに光ディスクを載置した状態での側断面図である。
【図７】第二実施形態のディスク装置のトレイ背面側近傍の平面図である。
【図８】第二実施形態のディスク装置のトレイ背面側近傍の側断面図である。
【図９】第二実施形態のディスク装置におけるトレイをケース体に収納した状態での側断面図である。
【図１０】第二実施形態のディスク装置において、トレイに対して大径ディスクを挿入した状態での側断面図である。
【図１１】第二実施形態のディスク装置において、トレイをケース体内部に収納する途中における側断面図である。
【図１２】第二実施形態のディスク装置において、トレイに対して小径ディスクを挿入した状態での側断面図である。
【図１３】他の実施の形態のディスク装置において、ケース体からトレイを引き出した際のトレイおよびケース体の構成を示す平面図である。
【図１４】図１３のディスク装置において、トレイをケース体に収納した状態での内部構成を示す平面図である。
【符号の説明】
【００１１】
２３    …保持手段としてのターンテーブル
２４    …情報処理部
１００  …ディスク搬送装置としても機能するディスク装置
２００  …ケース体
２０１Ａ…開口
２０２  …背面
２０３  …底面
２２０  …カム部材としてのガイド板押上げカム
３００  …トレイ
３１０  …保持凹部としての円弧状凹部
３２０  …ガイド部としての切欠部
３２１，３２２…直線部としての切欠直線部
３２３  …位置決め部としての突出部
３２５  …回動軸
３３０  …回動板としてのガイド板
３３２  …付勢手段としての付勢ばね
３３３  …大径記録媒体当接部としての立上部
３３４  …小径記録媒体位置決め部としての円弧状切欠部
３５０  …位置決めレバー
３５１  …位置決め部としてのディスク当接部
３５２  …回動作用部としてのケース当接部
Ｌ      …仮想線
【発明を実施するための最良の形態】
【００１２】
〔第一実施形態〕
〔ディスク装置の構成〕
以下、本発明における第一実施形態のディスク装置を図面に基づいて説明する。
図１は、本発明における第一実施形態のディスク装置において、ケース体からトレイを引き出した際のトレイおよびケース体の構成を示す平面図である。図２は、トレイの背面側近傍の平面図である。図３は、トレイの背面側近傍における断面図である。【００１３】
図１および図２において、１００はディスク搬送装置としても機能するディスク装置で、このディスク装置１００は、例えば携帯型のパーソナルコンピュータなどの電気機器に装着されるいわゆるスリムディスク装置（或いはスリムディスクドライブ）と称されるものである。
このディスク装置１００は、着脱可能に装着されるディスク状の記録媒体、例えばＣＤ(Compact Disc)やＤＶＤ(Digital Versatile Disc)などの光ディスクにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体２００と、トレイ３００と、などを備えている。【００１４】
ケース体２００は、金属板にて内部空間を有する略箱状に形成されている。
そして、ケース体２００は、筐体本体部２００Ａと、図中筐体本体部２００Ａの右側に設けられるウィング部２００Ｂとを備えて構成されている。これらの筐体本体部２００Ａおよびウィング部２００Ｂは、天面が同一平面上に形成され、底面が異なる高さ寸法に形成されている。すなわち、ウィング部２００Ｂの底面は、筐体本体部２００Ａの底面２０３を構成するケース体２００の底面２０３よりも天面からの距離寸法が小さく形成されている。
また、ケース体２００の正面２０１には、開口２０１Ａが開口形成され、この開口２０１Ａを介してトレイ３００が筐体本体部２００Ａに進退自在に配設されている。
さらに、ケース体２００の内部には、トレイ３００の進退方向に沿って配設されるレール部２１０と、トレイ３００の進退移動を規制する図示しない開閉機構部と、ディスク装置の動作の制御などを実施する図示しない回路部と、が設けられている。
また、ケース体２００には、回路部と接続される図示しないコネクタ部が設けられている。コネクタ部は、例えばディスク装置１００の外部のパーソナルコンピュータなどの電気器と接続可能で、電気機器から各種情報を送受信したり、電力が供給されるプラグが接続されたりする。【００１５】
レール部２１０は、ケース体２００の開口２０１Ａからトレイ３００の進退方向に沿って筐体本体部２００Ａの進退方向における両側部に位置して配設され、トレイ３００の進退方向における両側面に沿って設けられている。このレール部２１０は、ケース体２００に固定される対をなすレールガイド２１２Ａ，２１２Ｂと、トレイ３００に摺動可能に設けられる一対のレール２１１と、を備えている。
レールガイド２１２Ａ，２１２Ｂは、筐体本体部２００Ａにおける開口２０１Ａの左右両端からケース体２００の奥側（図１および図２における上側）に向かって延出して形成されている。これらのレールガイド２１２Ａ，２１２Ｂは、例えばポリオキシメチレン（polyoxymethylene：ＰＯＭ）などの合成樹脂製で、互いに対向する面が開口する例えば断面略コ字状の図示しない凹溝を備えて形成され、この凹溝にそれぞれレール２１１が長手方向でトレイ３００の進退方向に沿って摺動自在に支持されている。
レール２１１は、内面側にトレイ３００の両側部が摺動自在に係合可能に、金属板にて断面略コ字状に形成されている。
さらに、ケース体２００には、レール２１１の進退方向への移動を規制してレール２１１がレールガイド２１２Ａ，２１２Ｂから脱落することを防止する図示しない規制機構が設けられている。【００１６】
トレイ３００は、図１に示すように、例えば合成樹脂などにて略板状に形成され、ケース体２００の開口２０１Ａから進出自在に設けられている。このトレイ３００の一縁側には、トレイ３００がケース体２００内部に収納された状態で、ケース体２００の開口２０１Ａを閉塞する化粧板３０１が設けられている。
トレイ３００の一平面側となる上面側には、記録媒体としての光ディスクの径寸法より若干大きい保持凹部としての円弧状凹部３１０が設けられている。この円弧状凹部３１０の上面側は、略平面状に形成され、光ディスクを保持する保持面を構成する。
また、トレイ３００には、化粧板３０１側の一端部から円弧状凹部３１０の略中心に向かって、いわゆるトラバースメカと称されるディスク処理部２０が設けられている。さらに、トレイ３００の化粧板３０１の一部には、図示しないイジェクトボタンが設けられている。さらに、トレイ３００の他平面側となる下面側には、ディスク処理部２０を動作制御したりイジェクトボタンが接続されてトレイ３００の進退を制御したりする図示しない制御回路部が配設されている。制御回路部は、例えばフレキシブルコードなどにてケース体２００の回路部に接続されている。【００１７】
ディスク処理部２０は、例えば金属板にて略板状に形成されトレイ３００に支持された台座部２１を有している。この台座部２１は、トレイ３００の化粧板３０１側の一端部から、中心位置に向かって長手に形成されている。また、台座部２１には、長手方向に沿って、長手状の処理開口部２１Ａが略中央に切欠形成されている。
そして、台座部２１の処理開口部２１Ａの一端側にディスク回転駆動手段２２が配設されている。このディスク回転駆動手段２２は、図示しないスピンドルモータと、このスピンドルモータの出力軸に一体的に設けられた略円盤状の保持手段としてのターンテーブル２３とを備えている。スピンドルモータは、制御回路部に制御可能に接続され、制御回路部から供給される電力により駆動する。ターンテーブル２３は、トレイ３００の略中心部に設けられるとともに光ディスクを着脱可能に軸支し回転可能に保持する。
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスクで反射された出射光を検出する図示しない光センサとを有するピックアップを備えている。【００１８】
また、トレイ３００には、図示しない開閉機構部が設けられている。この開閉機構部は、トレイロック部と、開閉規制部と、を備えている。
トレイロック部は、トレイ３００の下面からケース体２００の底面２０３側に向かって突出形成されている。開閉規制部は、規制爪部と、動作部と、を備えている。規制爪部は、トレイ３００がケース体２００に収納された状態でトレイロック部に係合する底面２０３の対応する位置に設けられている。動作部は、回路部に接続されて動作制御される例えばソレノイドなどを有している。そして動作部は、イジェクトボタンの入力操作が実施されたことを認識した制御回路部から出力される信号を回路部で受信し、回路部の制御で動作するソレノイドにより、規制爪部をトレイロック部との係合状態を解除する状態、例えば規制爪部から離間する状態に移動させ、トレイ３００を進出可能とする。なお、トレイロック部と、開閉規制部の規制爪部とは、進出するトレイ３００をケース体２００内に収納させる際に、互いに乗り越えて係合する。【００１９】
さらに、トレイ３００の側面とレール２１１との間には、図示しない排出規制部が設けられている。この排出規制部は、トレイ３００がケース体２００から所定寸法排出された状態で、トレイ３００の進出を規制する。この排出規制部によりトレイ３００の進出が規制された状態では、トレイ３００のケース体２００側の一部が、開口２０１Ａよりケース体２００内の内部空間に収納された状態となる。この時、円弧状凹部３１０のケース体２００側の一部もケース体２００内に収納された状態となる。【００２０】
そして、トレイ３００の化粧板３０１が設けられる端面とは反対側の背面側には、図１および図２に示すように、円弧状凹部３１０の一部を切り欠いたガイド部としての切欠部３２０が設けられている。
この切欠部３２０は、トレイ３００の背面側縁部からターンテーブル２３に向かって略コ字状に切り欠き形成され、トレイ３００の進退方向と略平行する一対の直線部としての切欠直線部３２１，３２２を備えている。
ここで、図３に示すように、光ディスクの周縁部をトレイ３００の円弧状凹部３１０の上面およびトレイ３００の進退方向に対して略直交する状態で切欠部３２０に挿入した状態で、トレイ３００の下面から突出する光ディスクの周縁先端部およびトレイ３００の下面の距離寸法をＤ１、トレイ３００の下面およびケース体２００の底面２０３の距離寸法をＤ２とすると、一対の切欠直線部３２１，３２２の間寸法Ｄ３は、距離寸法Ｄ１が距離寸法Ｄ２よりも小さくなるように設定されている。
また、一対の切欠直線部３２１，３２２は、それぞれ、トレイ３００の進退方向と略平行するターンテーブル２３の中心を通る仮想線Ｌ（図１および図２参照）からの距離が略同一となる位置に形成されている。【００２１】
また、一対の切欠直線部３２１，３２２の背面側端部には、それぞれ位置決め部としての突出部３２３が設けられている。具体的には、これらの突出部３２３は、切欠直線部３２１，３２２から仮想線Ｌ側に突出する突出片３２４に、それぞれターンテーブル２３に向かって突出する形状に形成されている。この時、これらの突出部３２３は、それぞれターンテーブル２３の中心から突出部３２３における突出先端部までの距離が光ディスクの半径寸法と略同一となる位置に設けられている。また、これらの突出部３２３は、円弧状凹部３１０の上面からの距離が、円弧状凹部３１０の上面からターンテーブル２３の光ディスクを載置する載置面までの距離よりも小さくなるように形成されている。【００２２】
〔ディスク装置の動作〕
次に、上記ディスク装置１００の動作について説明する。
図４は、第一実施形態のディスク装置において、トレイに対して光ディスクを挿入した状態での側断面図である。図５は、第一実施形態のディスク装置において、トレイに対して光ディスクをさらに挿入した状態での側断面図である。図６は、第一実施形態のディスク装置において、トレイに光ディスクを載置した状態での側断面図である。【００２３】
トレイ３００がケース体２００に収納された状態において、利用者が化粧板３０１に設けられたイジェクトボタンを入力操作すると、制御回路部は開閉規制部の動作部を制御して規制爪部を移動させ、トレイ３００のトレイロック部との係合状態を解除し、トレイ３００のロックが解除された状態となる。
そして、このようなトレイ３００のロックが解除された状態で、例えば化粧板３０１を引き出すと、トレイ３００がレール部２１０に支持されて開口２０１Ａから外部へスライド移動される。この利用者によるトレイ３００を引き出すスライド移動により、トレイ３００が所定位置まで引き出されると、ケース体２００の規制機構およびトレイ３００の排出規制部により、図１に示すように、トレイ３００の背面側の一部がケース体２００内に収納された状態で、トレイ３００がケース体２００から進出する。
そして、光ディスクをトレイ３００に対して進入させると、図４に示すように、光ディスクの周縁の一部が切欠部３２０に係合し、光ディスクの挿入先端縁が切欠部３２０からトレイ３００の下面側に挿通される。この状態では、光ディスクを円弧状凹部３１０の上面に沿って挿入する場合に比べて、光ディスクの挿入角度を大きくすることが可能となる。
そして、さらに光ディスクをトレイ３００の背面側に移動させると、図５に示すように、光ディスクの周縁部が突出部３２３に当接し、光ディスクが位置決めされる。この時、突出部３２３の突出先端部からターンテーブル２３の中心までの距離が光ディスクの径寸法と略同一寸法となっているので、光ディスクを突出部３２３との当接位置を中心にトレイ３００側に回動させると、光ディスクの中心がターンテーブル２３の中心に一致する。すなわち、突出部３２３により光ディスクのセンター位置決めが可能となる。
この後、図６に示すように、光ディスクをターンテーブル２３に載置し、トレイ３００がケース体２００の背面２０２側に押し込まれると、トレイ３００のトレイロック部が開閉規制部の規制爪部を乗り越えて係合され、トレイ３００がケース体２００にロックされる。
この後、利用者の操作入力に基づいて、制御回路部は、装着された光ディスクの情報処理を実施する。【００２４】
〔ディスク装置の作用効果〕
上述したように、上記第一実施形態のディスク装置１００では、トレイ３００に光ディスクを載置する際に、切欠部３２０により光ディスクの挿入先端部が円弧状凹部３１０よりトレイ３００の下面側に案内される。
このため、光ディスクをトレイ３００の円弧状凹部３１０の上面に沿って挿入する場合に比べて、光ディスクのトレイ３００への挿入角度を大きくすることができる。したがって、光ディスクの挿入操作が容易に実施でき、ターンテーブル２３に光ディスクの中心を合わせる作業も容易に実施できる。また、光ディスクの挿入角度を大きくすることができるので、光ディスクの記録面がトレイ３００の一部やターンテーブル２３に接触するのを防止でき、良好に光ディスクをケース体２００内に搬送することができる。
さらに、トレイ３００の排出時に、トレイ３００の背面側の一部がケース体２００の内部に収納された状態となるため、例えばトレイ３００に衝撃が加わったとしても、ケース体２００内に挿入されたトレイ３００の背面側の一部とケース体２００とで衝撃を分散することができる。したがって、衝撃やトレイ３００の自重によりレール部２１０が垂れ下がることがなく、ディスク装置１００の強度を高めることができる。【００２５】
また、トレイ３００の背面側に略コ字状の切欠部３２０を形成し、この切欠部により光ディスクの挿入先端部が円弧状凹部３１０よりトレイ３００の下面側に案内している。
このため、トレイ３００に切欠部３２０を設けるだけの簡単な構成で、上記のように良好に光ディスクを案内することができる。【００２６】
さらに、切欠部３２０の周縁部にターンテーブル２３に向かって突出する突出部３２３が設けられている。
このため、光ディスクを切欠部３２０に沿ってトレイ３００の背面側に挿入した際に、光ディスクの周縁部が突出部３２３に当接することで位置決めすることができる。したがって、光ディスクを過度に挿入されてトレイ３００から脱落することがなく、良好に光ディスクをトレイ３００の円弧状凹部３１０に案内することができる。【００２７】
そして、この突出部３２３は、突出先端部からターンテーブル２３の中心までの距離が光ディスクの径寸法と略同一寸法となる位置に設けられている。
このため、光ディスクの周端部が突出部３２３に当接して位置決めされた状態で、光ディスクを突出部３２３との当接位置を中心にトレイ３００側に回動させて近接させると、光ディスクの中心部がターンテーブル２３上に移動し、光ディスクのセンター位置決めを容易に実施することができる。【００２８】
また、切欠部３２０の一対の切欠直線部３２１，３２２は、ターンテーブル２３を通りトレイ３００の進退方向と略平行する仮想線Ｌから等距離となる位置に形成されている。
このため、光ディスクの周縁部をこれらの切欠直線部３２１，３２２に当接させた状態で、光ディスクの中心位置を仮想線Ｌ上に位置させることができ、光ディスクのセンター位置決めがより容易に実施できる。【００２９】
さらに、切欠部３２０の一対の切欠直線部３２１，３２２間の距離Ｄ３は、ディスクの周縁部をトレイ３００の円弧状凹部３１０の上面およびトレイ３００の進退方向に対して略直交する状態で切欠部３２０に挿入した状態で、トレイ３００の下面から突出する光ディスクの周縁先端部およびトレイ３００の下面の距離寸法Ｄ１がトレイ３００の下面およびケース体２００の底面２０３の距離寸法をＤ２よりも小さくなるように設定されている。
このため、切欠部３２０からトレイ３００の下面側に突出した光ディスクがケース体２００の底面２０３に接触することがなく、良好に光ディスクを搬送することができる。【００３０】
〔第二実施形態〕
〔ディスク装置の構成〕
次に、本発明に係る第二実施形態のディスク装置１００Ａについて、図面に基づいて説明する。
図７は、第二実施形態のディスク装置のトレイ背面側近傍の平面図である。図８は、第二実施形態のディスク装置のトレイ背面側近傍の側断面図である。図９は、第二実施形態のディスク装置におけるトレイをケース体に収納した状態での側断面図である。なお、上記第一実施形態と同様の構成については、同符号を付し、その説明を省略または簡略する。
第二実施形態のディスク装置１００Ａは、上記第一実施形態と同様に、ケース体２００と、トレイ３００とを備えている。【００３１】
ケース体２００は、前記第一実施形態と同様に、正面２０１に開口２０１Ａが設けられた略箱状に形成されている。
また、ケース体２００の内部空間には、図９に示すように、カム部材としてのガイド板押上げカム２２０が設けられている。このガイド板押上げカム２２０は、ケース体２００の底面２０３の背面２０２側で、左右方向略中央部に、トレイ３００の進退方向に長手状に設けられている。このガイド板押上げカム２２０は、図９に示すように、正面２０１側から背面２０２側に向かって底面２０３から天面側に向かって傾斜する傾斜部２２１と、傾斜部２２１の背面２０２側に連続形成され、背面２０２側に延出する水平部２２２とを備えている。傾斜部２２１の背面２０２側端部および水平部２２２の上面は、底面２０３からの距離寸法Ｄ４が、トレイ３００の下面から底面２０３までの距離寸法Ｄ２と略同一寸法となるように形成されている。【００３２】
そして、ケース体２００の内部には、第一実施形態と同様に、レール部２１０が配設されており、レール部２１０を介してトレイ３００が開口２０１Ａから進退自在に保持されている。【００３３】
トレイ３００は、第一実施形態のトレイ３００と同様に、ケース体２００内部に収納された状態で、ケース体２００の開口２０１Ａを閉塞する化粧板３０１を備えている。また、このトレイ３００は、径寸法が例えば１２ｃｍである大径記録媒体としての大径ディスクおよび径寸法が例えば８ｃｍである小径記録媒体としての小径ディスクを載置可能に設けられている。
そして、トレイ３００の一平面側には、大径ディスクの径寸法より若干大きい円弧状凹部３１０が設けられている。
また、トレイ３００には、第一実施形態と同様に、化粧板３０１側の一端部から円弧状凹部３１０の略中心に向かってディスク処理部２０が設けられている。さらに、トレイ３００には、第一実施形態と同様に、図示しない排出規制部が設けられている。【００３４】
そして、トレイ３００には、第一実施形態と同様に、背面側には、円弧状凹部３１０の一部を切り欠いた切欠部３２０が設けられている。
このトレイ３００の切欠部３２０には、図７および図８に示すように、回動板としてのガイド板３３０が設けられている。このガイド板３３０は、例えば合成樹脂などにより形成され、厚み寸法が円弧状凹部３１０の上面からターンテーブル２３の載置面までの高さ寸法よりも小さい寸法に形成されている。
このガイド板３３０は、正面側（化粧板３０１に近接する側）に軸支部３３１を有している。この軸支部３３１には、切欠部３２０の切欠直線部３２１，３２２の正面側から互いにガイド板３３０に向かって突出する回動軸３２５が挿通されている。これにより、ガイド板３３０は、トレイ３００に回動自在に保持されている。また、この軸支部３３１は、ガイド板３３０がトレイ３００の上面側に回動した状態で、ガイド板３３０の上面が円弧状凹部３１０の上面と略同一平面となるように、高さ位置が設定されている。さらに、ガイド板３３０は、トレイ３００から離隔する方向に、トレイ３００の下面側に回動した状態で、ガイド板３３０の背面側先端部とケース体２００の底面２０３が干渉しないように、回動可能範囲が規制されている。【００３５】
また、ガイド板３３０は、軸支部３３１および回動軸３２５の間に、付勢手段としての付勢ばね３３２を備えている。この付勢ばね３３２は、ガイド板３３０の背面側がトレイ３００の下面側に回動する状態に、ガイド板３３０を付勢している。したがって、トレイ３００がケース体から排出された状態では、ガイド板３３０は背面側がトレイ３００の下面側に回動した状態となる。また、トレイ３００がケース体２００内に収納され、ガイド板３３０の背面側端部がケース体２００内のガイド板押上げカム２２０の傾斜部２２１に当接すると、傾斜部２２１の傾斜に沿ってガイド板３３０がトレイ３００の上面側に押し上げられる。そして、ガイド板３３０の背面側端部がガイド板押上げカム２２０の水平部２２２に当接すると、ガイド板３３０の上面がトレイ３００の円弧状凹部３１０の上面と略同一平面となる位置に押し上げられる。【００３６】
そして、ガイド板３３０の背面側には、トレイの上面側に突出する大径記録媒体当接部としての立上部３３３が設けられている。この立上部３３３は、ガイド板３３０の上面とトレイ３００の上面とが略同一平面となるようにガイド板３３０が回動した状態で、ターンテーブル２３の中心からの距離が大径ディスクの径寸法と略同一寸法、もしくは若干大きくなる円弧状に形成されている。【００３７】
また、ガイド板３３０の前記軸支部３３１より正面側となる正面側端部には、ターンテーブル２３を中心とした円弧状に切り欠かれた小径記録媒体当接部としての円弧状切欠部３３４が形成されている。この円弧状切欠部３３４は、ターンテーブル２３の中心からの距離寸法が、小径ディスクの径寸法に対応した例えば８ｃｍに形成されている。そして、トレイ３００がケース体２００から排出され、ガイド板３３０がトレイ３００の下面側に回動した状態で、円弧状切欠部３３４の端面がトレイ３００の上面側に突出する。この時、ガイド板３３０の厚み寸法分だけ、円弧状切欠部３３４の端面がトレイ３００の上面に突出する。なお、円弧状切欠部３３４の突出寸法としては特に限定されず、突出先端部がターンテーブル２３の載置面よりもトレイ３００側に位置する状態となればよい。【００３８】
〔ディスク装置の動作〕
次に上記第二実施形態のディスク装置１００Ａの動作について図面に基づいて説明する。
図１０は、第二実施形態のディスク装置において、トレイに対して大径ディスクを挿入した状態での側断面図である。図１１は、第二実施形態のディスク装置において、トレイをケース体内部に収納する途中における側断面図である。図１２は、第二実施形態のディスク装置において、トレイに対して小径ディスクを挿入した状態での側断面図である。【００３９】
上記第一実施形態と同様に、トレイ３００がケース体２００に収納された状態において、利用者が化粧板３０１に設けられたイジェクトボタンを入力操作すると、制御回路部は開閉規制部の動作部を制御して規制爪部を移動させ、トレイ３００のトレイロック部との係合状態を解除し、トレイ３００のロックが解除された状態となる。【００４０】
そして、このようなトレイ３００のロックが解除された状態で、例えば化粧板３０１を引き出すと、トレイ３００がレール部２１０に支持されて開口２０１Ａから外部へスライド移動される。この利用者によるトレイ３００を引き出すスライド移動により、トレイ３００が所定位置まで引き出されると、ケース体２００の規制機構およびトレイ３００の排出規制部により、図１に示すように、トレイ３００の背面側の一部がケース体２００内に収納された状態で、トレイ３００がケース体２００から進出する。【００４１】
この状態において、トレイ３００に対して大径ディスクを所定の進入角度で進入させると、図１０に示すように、大径ディスクの周縁の一部がガイド板３３０の上面側に略沿って挿入される。ここで、ガイド板３３０は、付勢ばね３３２の付勢力により、トレイ３００の下面側に向かって回動した状態となっているため、大径ディスクをガイド板３３０の上面に略沿って挿入すると、挿入先端部がトレイ３００の円弧状凹部３１０より下面側に挿入され、光ディスクを円弧状凹部３１０の上面に沿って挿入する場合に比べて、光ディスクの挿入角度を大きくすることが可能となる。
そして、さらに光ディスクをトレイ３００の背面側に移動させると、ガイド板３３０の立上部３３３および突出部３２３に当接し、光ディスクが位置決めされる。この時、突出部３２３の突出先端部および立上部３３３からターンテーブル２３の中心までの距離が光ディスクの径寸法を略同一寸法となっているので、光ディスクを突出部３２３との当接位置を中心にトレイ３００側に回動させると、光ディスクの中心がターンテーブル２３の中心に一致する。すなわち、突出部３２３および立上部３３３により大径ディスクのセンター位置決めが可能となる。【００４２】
一方、トレイ３００がケース体から排出された状態で、小径ディスクをトレイ３００に対して所定角度で進入させると、小径ディスクの挿入先端縁が、円弧状凹部３１０の上面から突出するガイド板３３０の円弧状切欠部３３４に当接する。この円弧状切欠部３３４は、ターンテーブル２３からの距離が小径ディスクの径寸法と略同一となる円弧状に形成されているので、小径ディスクを円弧状切欠部３３４に当接させた状態で、この当接位置を中心にしてトレイ３００側に回動させると、小径ディスクの中心がターンテーブル２３上に略一致する。すなわち、円弧状切欠部３３４により小径ディスクのセンター位置決めが可能となる。【００４３】
この後、光ディスクをターンテーブル２３に載置し、トレイ３００がケース体２００の背面２０２側に押し込まれると、図１１に示すように、ガイド板３３０がガイド板押上げカム２２０の傾斜部２２１に当接して、トレイ３００の上面側に押し上げられる。そして、トレイ３００が完全にケース体２００内に収納されると、ガイド板３３０の上面と円弧状凹部の上面とが略同一平面となる。また、トレイ３００のトレイロック部が開閉規制部の規制爪部を乗り越えて係合され、トレイ３００がケース体２００にロックされる。
この後、利用者の操作入力に基づいて、制御回路部は、装着された光ディスクの情報処理を実施する。【００４４】
〔ディスク装置の作用効果〕
上述したように、上記第二実施形態のディスク装置１００Ａでは、上記第一実施形態のディスク装置１００の作用効果に加えて、次の作用効果がある。
すなわち、ディスク装置１００Ａでは、切欠部３２０に、背面側がトレイ３００の上面から離隔する方向に回動可能なガイド板３３０が設けられている。
このため、このガイド板３３０の上面に沿って大径ディスクを挿入することで、容易に光ディスクの挿入先端部が円弧状凹部３１０よりトレイ３００の下面側に案内することができる。したがって、光ディスクをトレイ３００の円弧状凹部３１０の上面に沿って挿入する場合に比べて、光ディスクのトレイ３００への挿入角度を大きくすることができるとともに、上記第一実施例におけるディスク装置１００より光ディスクの挿入操作がより容易に実施でき、ターンテーブル２３に光ディスクの中心を合わせる作業も容易に実施できる。【００４５】
また、ガイド板３３０は、トレイ３００がケース体２００から排出された状態で、トレイ３００の上面から離隔する方向に回動し、トレイ３００がケース体２００内に収納された状態で、ガイド板押上げカム２２０によりトレイ３００の上面側に回動する。
このため、トレイ３００がケース体２００内に収納されて情報処理部２４にて所定の情報処理動作が実施される演奏状態において、ガイド板３３０の正面側端部がトレイ３００の上面側に突出せず、光ディスクへの接触を防止することができる。【００４６】
また、ガイド板３３０の背面側端部には、立上部３３３が設けられている。
このため、この立上部３３３で大径ディスクの周縁部の位置決めを実施することができ、大径ディスクの脱落を防止することができる。また、立上部３３３は、ターンテーブル２３からの距離が大径ディスクの径寸法と略同一寸法となる位置に形成されているため、立上部３３３に当接された大径ディスクをそのままトレイ３００側に回動させると、大径ディスクの中心をターンテーブル２３に良好に誘導することができ、大径ディスクのセンター位置決めがより容易に実施できる。【００４７】
さらに、ガイド板３３０の正面側端部には、ターンテーブル２３からの距離が小径ディスクの径寸法と略同一寸法となる円弧状切欠部３３４が形成されている。
このため、ガイド板３３０がトレイ３００から離隔する方向に回動すると、この円弧状切欠部３３４の端面を円弧状凹部３１０の上面から突出させることができ、小径ディスクのトレイ３００への載置時に、小径ディスクの周縁部を円弧状切欠部３３４に当接させてセンター位置決めすることができる。【００４８】
そして、ガイド板３３０は、付勢ばね３３２によりトレイ３００から離隔する方向に付勢されている。
このため、トレイ３００がケース体２００内に収納された際に、ガイド板３３０は、付勢ばね３３２の付勢力により、ガイド板押上げカム２２０の水平部２２２に付勢され、例えばターンテーブル２３の回転の影響などによる振動を防止できる。したがって、ガイド板３３０の振動による騒音などを防止でき、良好な情報処理動作を実施することができる。【００４９】
〔他の実施形態〕
なお、本発明は、上述した実施形態に限定されるものではなく、本発明の目的を達成できる範囲で以下に示される変形をも含むものである。【００５０】
すなわち、上記実施形態では、ディスク装置１００，１００Ａは、ノート型パーソナルコンピュータなどに搭載可能な薄型のディスク装置を例示したが、これに限定されず、例えばデスクトップ型のパーソナルコンピュータなどに搭載される構成としてもよい。
また、ノート型パーソナルコンピュータに装着される構成に限らず、例えばゲーム機や、映像データの録画再生処理を実施する、いわゆるビデオ装置などに装着されてもよい。【００５１】
そして、ディスク装置としては、読取処理および記録処理のうちいずれか一方のみを実施する構成としても対象とすることができる。
さらに、記録媒体としては、光ディスクに限らず、光磁気ディスクや磁気ディスクなど、各種構成を対象とすることができる。【００５２】
また、位置決め部として突出部３２３を例示したが、これに限定されず、例えば図１３および図１４に示すように、位置決め部が移動可能に設けられる構成などとしてもよい。
図１３および図１４において、ディスク装置１００Ｂは、第一実施形態と略同様に、ケース体２００およびトレイ３００Ｂを備えている。そして、トレイ３００Ｂには、図１３に示すように、切欠部３２０の一対の切欠直線部３２１，３２２の背面側の突出片３２４に、位置決めレバー３５０が設けられている。
この位置決めレバー３５０は、長手状に形成され、長手中心部が突出片３２４に回動可能に軸支されている。この位置決めレバー３５０は、長手方向が、背面側から正面側に向かうに従って、トレイ３００の進退方向に平行してターンテーブル２３を通る仮想線Ｌから離れる方向に傾斜する状態に設けられている。
また、この位置決めレバー３５０の正面側の先端部には、光ディスクの周縁部に当接可能な、位置決め部としてのディスク当接部３５１が設けられている。このディスク当接部３５１は、例えばトレイ３００に略直交する方向に中心軸を有する略円筒状に形成され、円筒の外周面に光ディスクの周縁が当接されることで、光ディスクを位置決めする。
さらに、位置決めレバー３５０の背面側端部には、トレイ３００がケース体２００内に収納された際に、ケース体２００の背面２０２に当接する回動作用部としてのケース当接部３５２が設けられている。そして、ケース当接部３５２がケース体２００の背面２０２に当接すると、位置決めレバー３５０は、ディスク当接部３５１が光ディスクの周縁から離れる方向に回動する。
また、位置決めレバー３５０は、例えばトーションばねなどの付勢部材により、ディスク当接部３５１がターンテーブル２３に近接する方向に付勢されている。具体的には、付勢部材は、ディスク当接部３５１がターンテーブル２３からの距離が光ディスクの径寸法と略同一寸法となる位置に移動するように付勢している。これにより、トレイ３００がケース体２００から排出されると、ディスク当接部３５１が光ディスクの周縁部を位置決め可能な位置に移動する。【００５３】
このような構成では、トレイ３００がケース体２００から排出された状態で、ディスク当接部３５１が光ディスクの周縁に当接して位置決め可能な位置に移動する。このため、トレイ３００に光ディスクを載置する際に、このディスク当接部３５１に光ディスクを当接させるように光ディスクを所定角度で進入させることで、容易に光ディスクをトレイ３００に載置させることができる。また、トレイ３００がケース体２００に収納された状態では、ケース当接部３５２がケース体２００の背面２０２に当接して位置決めレバー３５０が回動し、ディスク当接部３５１が光ディスクの周縁部から離隔する方向に移動する。このため、ディスク当接部３５１が光ディスクの周縁部から離隔するため、ターンテーブル２３により良好に光ディスクの回転駆動を実施させることができる。【００５４】
また、上記図１３および図１４において、トレイ３００に長手略中心が回動自在に設けられる位置決めレバー３５０を例示したが、例えば長手一端部が回動自在に保持され、他端部にディスク当接部が設けられる構成、位置決めレバーが左右方向に移動してトレイ３００の収納時にディスク当接部が左右方向に移動して光ディスクから離隔する構成など、その他の構成としてもよい。【００５５】
そして、上記実施形態では、トレイ３００の背面側に切欠部３２０を設け、切欠部３２０からトレイ３００の裏面側に光ディスクの挿入先端部を案内して光ディスクの進入角度を大きくする構成を示したが、例えばトレイ３００に円弧状凹部３１０よりもトレイ３００の上面からの距離が大きくなる凹部を形成し、この凹部に光ディスクの挿入先端部を案内する構成としてもよい。
また、切欠部３２０は、トレイ３００の背面側から略コ字状に切り欠き形成される例を示したが、例えば円弧状凹部３１０の背面側に窓状の開口を設け、この窓から光ディスクの挿入先端部を案内する構成などとしてもよい。
また、位置決め部として、突出部３２３や位置決めレバー３５０のディスク当接部３５１を例示したが、これに限定されない。例えば、切欠部３２０の切欠直線部３２１，３２２に沿ってレールを配設し、このレールに沿って移動可能な位置決め部を設けるなどとしてもよく、さらには、トレイ３００状に回動自在に設けられるアームの先端部にディスク当接部を設け、このディスク当接部にて光ディスクの周縁を位置決めする構成などとしてもよい。
さらに、大径ディスクの周縁部に当接して位置決めする突出部３２３を例示したが、例えば、切欠直線部３２１，３２２に小径ディスクの周縁部に当接して位置決めする突出部を別途設ける構成などとしてもよい。【００５６】
その他、本発明の実施の際の具体的な構造および手順は、本発明の目的を達成できる範囲で他の構造などに適宜変更できる。【００５７】
〔実施形態の効果〕
上述したように、上記ディスク装置１００では、トレイ３００に光ディスクを載置する際に、切欠部３２０により光ディスクの挿入先端部が円弧状凹部３１０よりトレイ３００の下面側に案内される。
このため、光ディスクをトレイ３００の円弧状凹部３１０の上面に沿って挿入する場合に比べて、光ディスクのトレイ３００への挿入角度を大きくすることができる。したがって、光ディスクの挿入操作が容易に実施でき、ターンテーブル２３に光ディスクの中心を合わせる作業も容易に実施できる。また、光ディスクの挿入角度を大きくすることができるので、光ディスクの記録面がトレイ３００の一部やターンテーブル２３に接触するのを防止でき、良好に光ディスクをケース体２００内に搬送することができる。
【産業上の利用分野】
【００５８】
本発明は、ディスク状の記録媒体を搬送するディスク搬送装置、およびディスク装置に利用できる。
【図１】
2008084542.tif 000003
【図２】
2008084542.tif 000004
【図３】
2008084542.tif 000005
【図４】
2008084542.tif 000006
【図５】
2008084542.tif 000007
【図６】
2008084542.tif 000008
【図７】
2008084542.tif 000009
【図８】
2008084542.tif 000010
【図９】
2008084542.tif 000011
【図１０】
2008084542.tif 000012
【図１１】
2008084542.tif 000013
【図１２】
2008084542.tif 000014
【図１３】
2008084542.tif 000015
【図１４】
2008084542.tif 000016
【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
少なくとも一面に開口を有し、この開口に連通する内部空間を有するケース体と、
前記ケース体の前記開口に進退可能に設けられるとともに、一面側にディスク状の記録媒体を保持可能な保持面を有する保持凹部が設けられる略板状のトレイと、を備えたディスク装置であって、
前記トレイには、前記トレイの一面側および他面側を連通する状態に切り欠き形成され、前記保持凹部の当該トレイの進退方向におけるケース体側に、前記記録媒体の周縁部を前記保持面より前記保持凹部が設けられない他面側に挿入された状態で案内する切欠部が設けられ、
前記切欠部の切欠周縁に前記記録媒体の周縁部を位置決めする位置決め部が、前記切欠周縁に略沿う位置で、前記保持面の面内方向に向かって突出して設けられた
ことを特徴としたディスク搬送装置。
【請求項２】
（削除）
【請求項３】
（削除）
【請求項４】
（削除）
【請求項５】
請求項１に記載のディスク搬送装置であって、
前記位置決め部は、前記切欠周縁に略沿う位置に移動自在に設けられるとともに、前記トレイが前記ケース体から排出された状態において前記記録媒体の周縁部に当接し、前記トレイが前記ケース体内に収納された状態において前記記録媒体の周縁部から離隔する
ことを特徴としたディスク搬送装置。
【請求項６】
請求項５に記載のディスク搬送装置であって、
前記切欠周縁に略沿う位置に設けられるとともに、中心部が回動自在に軸支される長手状の位置決めレバーを備え、
前記位置決め部は、前記位置決めレバーの長手先端部に設けられた
ことを特徴としたディスク搬送装置。
【請求項７】
請求項６に記載のディスク搬送装置であって、
前記ケース体は、前記開口を有する一面に対向する背面を備え、
前記位置決めレバーは、長手他端部に前記ケース体の背面に対向し、前記トレイが前記ケース体内に収納された状態で前記背面に当接して、当該位置決めレバーを回動させる回動作用部を備えた
ことを特徴としたディスク搬送装置。
【請求項８】
請求項１、または請求項５ないし請求項７のいずれかに記載のディスク搬送装置であって、
前記トレイは、前記一面側に、前記記録媒体の中心位置を保持する保持手段を備え、
前記位置決め部は、前記保持手段の中心からの距離寸法が、前記記録媒体の径寸法と略同一となる位置に設けられた
ことを特徴としたディスク搬送装置。
【請求項９】
請求項１、または請求項５ないし請求項８のいずれかに記載のディスク搬送装置であって、
前記切欠部は、前記保持手段から前記トレイの進退方向に沿って延出する仮想線と略平行するとともに、前記仮想線からの距離が略等しい互いに対向する一対の直線部を備え、
前記位置決め部は、前記直線部に略沿う位置に設けられた
ことを特徴としたディスク搬送装置。
【請求項１０】
請求項９に記載のディスク搬送装置であって、
前記ケース体は、前記トレイが収納された状態で、前記トレイに対向する底面を有し、
前記一対の直線部は、これら直線部間の距離寸法が、前記記録媒体を前記保持面および前記トレイの進退方向に略直交する状態で前記切欠部に挿入した際に、前記トレイの他面側から突出する前記記録媒体の挿入先端縁の突出寸法が前記トレイおよび前記底面の隙間寸法よりも小さくなる寸法に設けられた
ことを特徴としたディスク搬送装置。
【請求項１１】
少なくとも一面に開口を有し、この開口に連通する内部空間を有するケース体と、
前記ケース体の前記開口に進退可能に設けられるとともに、一面側にディスク状の記録媒体を保持可能な保持面を有する保持凹部が設けられる略板状のトレイと、を備えたディスク搬送装置であって、
前記トレイには、前記トレイの一面側および他面側を連通する状態に切り欠き形成され、前記保持凹部の当該トレイの進退方向におけるケース体側に、前記記録媒体の周縁部を前記保持面より前記保持凹部が設けられない他面側に挿入された状態で案内する切欠部が設けられ、
前記切欠部は、前記保持面に略平行し、かつ前記トレイの進退方向に略直交する回動軸を中心として回動自在に設けられ、前記トレイの進退方向におけるケース体側が前記保持面に対して接離する回動板を備えた
ことを特徴としたディスク搬送装置。
【請求項１２】
請求項１１に記載のディスク搬送装置であって、
前記回動板は、前記トレイが前記ケース体から排出された状態で前記保持面から離隔する方向に回動し、前記トレイが前記ケース体内に収納された状態で前記保持面と略同一平面となる位置に回動する
ことを特徴としたディスク搬送装置。
【請求項１３】
請求項１１または請求項１２に記載のディスク搬送装置であって、
前記トレイは、前記一面側に、前記記録媒体の中心位置を保持する保持手段を備えるとともに、径寸法が大きい大径記録媒体および径寸法の小さい小径記録媒体を搬送可能に設けられ、
前記回動板は、前記保持手段の中心からの距離が、前記小径記録媒体の径寸法と略同一寸法となる位置に、前記小径記録媒体の周縁部に当接して位置決めする略円弧状の小径記録媒体位置決め部を備えた
ことを特徴としたディスク搬送装置。
【請求項１４】
請求項１１ないし請求項１３のいずれかにに記載のディスク搬送装置であって、
前記回動板は、前記保持手段の中心からの距離寸法が径寸法の大きい大径記録媒体の径寸法と略同一となる位置に、前記大径記録媒体の周縁部に当接して位置決めする大径記録媒体当接部を備えた
ことを特徴としたディスク搬送装置。
【請求項１５】
請求項１３に記載のディスク搬送装置であって、
前記小径記録媒体位置決め部は、前記回動軸より前記トレイの進退方向における進出方向側に設けられた
ことを特徴としたディスク搬送装置。
【請求項１６】
請求項１１ないし請求項１５のいずれかに記載のディスク搬送装置であって、
前記トレイは、前記回動板を前記保持面から離隔する方向に付勢する付勢手段を備え、
前記ケース体は、前記トレイが前記内部空間に収納された状態で前記回動板を前記保持部に近接する方向に移動させるカム部材を備えた
ことを特徴としたディスク搬送装置。
【請求項１７】
請求項１ないし請求項１６に記載のディスク搬送装置と、
前記記録媒体を保持する前記保持手段と、
前記保持手段にて保持された前記記録媒体の情報を読み込む読込処理および前記記録媒体に情報を書き込む書込み処理のうち少なくともいずれか一方の処理を実施する情報処理部と、
を具備したことを特徴としたディスク装置。
【手続補正２】
【補正対象書類名】明細書
【補正対象項目名】０００２
【補正方法】変更
【補正の内容】
【０００２】
ディスク搬送装置、およびディスク装置を提供することを１つの目的とする。
課題を解決するための手段
［０００８］
本発明のディスク搬送装置は、少なくとも一面に開口を有し、この開口に連通する内部空間を有するケース体と、前記ケース体に進退可能に設けられるとともに、一面側にディスク状の記録媒体を保持可能な保持面を有する保持凹部が設けられる略板状のトレイと、を備えたディスク装置であって、前記トレイには、前記トレイの一面側および他面側を連通する状態に切り欠き形成され、前記保持凹部の当該トレイの進退方向におけるケース体側に、前記記録媒体の周縁部を前記保持面より前記保持凹部が設けられない他面側に挿入された状態で案内する切欠部が設けられ、前記切欠部の切欠周縁に前記記録媒体の周縁部を位置決めする位置決め部が、前記切欠周縁に略沿う位置で、前記保持面の面内方向に向かって突出して設けられたことを特徴とする。
本発明のディスク搬送装置は、少なくとも一面に開口を有し、この開口に連通する内部空間を有するケース体と、前記ケース体の前記開口に進退可能に設けられるとともに、一面側にディスク状の記録媒体を保持可能な保持面を有する保持凹部が設けられる略板状のトレイと、を備えたディスク搬送装置であって、前記トレイには、前記トレイの一面側および他面側を連通する状態に切り欠き形成され、前記保持凹部の当該トレイの進退方向におけるケース体側に、前記記録媒体の周縁部を前記保持面より前記保持凹部が設けられない他面側に挿入された状態で案内する切欠部が設けられ、前記切欠部は、前記保持面に略平行し、かつ前記トレイの進退方向に略直交する回動軸を中心として回動自在に設けられ、前記トレイの進退方向におけるケース体側が前記保持面に対して接離する回動板を備えたことを特徴とする。
［０００９］
本発明のディスク装置は、上記したようなディスク搬送装置と、前記記録媒体を保持する前記保持手段と、前記保持手段にて保持された前記記録媒体の情報を読み込む読込処理および前記記録媒体に情報を書き込む書込み処理のうち少なくともいずれか一方の処理を実施する情報処理部と、を具備したことを特徴とする。
図面の簡単な説明
［００１０］
［図１］本発明に係る第一実施形態のディスク装置において、ケース体からトレイを引き出した際のトレイおよびケース体の構成を示す平面図である。
［図２］トレイの背面側近傍の平面図である。
［図３］トレイの背面側近傍における断面図である。
［図４］第一実施形態のディスク装置において、トレイに対して光ディスクを挿入した状態での側断面図である。
［図５］第一実施形態のディスク装置において、トレイに対して光ディスクをさらに挿入した状態での側断面図である。
［図６］第一実施形態のディスク装置において、トレイに光ディスクを載置した状態での側断面図である。
［図７］第二実施形態のディスク装置のトレイ背面側近傍の平面図である。
［図８］第二実施形態のディスク装置のトレイ背面側近傍の側断面図である。
［図９］第二実施形態のディスク装置におけるトレイをケース体に収納した状態での側断面図である。
【国際調査報告】
2008084542.tif 000017
2008084542.tif 000018
2008084542.tif 000019
2008084542.tif 000020